(57)【要約】【課題】食器セットにおいて、収納効果を向上させること、及び、多用途に使用することができる。【解決手段】食器セット（１０１）は、食器にもなる蓋部（１１０）と、保存容器にもなる食器（１２０）数個から成る。又、それぞれの容器上部に、フランジ部（１００ａ）を設け、容器下部に段付け部（１００ｂ）を設けることにより、積み重ね可能となり、数段の食品保存容器となる。又、保存容器にもなる食器（１２１）の内部に食器（１２２）、又その内部に食器（１２３）を収納することにより、コンパクトに収納することが可能である。【選択図】  図１
2004358159.tif 000002
【特許請求の範囲】
【請求項１】
それぞれ異なるサイズの複数の食器からなり、前記複数の食器は多段に積み重ねることで複数の独立した閉空間が得られると共に、入れ子状に重ね合わせることでコンパクトに収納できる食器セット。
【請求項２】
前記複数の食器は多段に積み重ねた状態で下部から上部に向かって断面積が増加する形状である請求項１に記載の食器セット。
【請求項３】
前記複数の食器は多段に積み重ねた状態で最上部の水平断面積に対して最下部の水平断面積が９％以上である請求項２に記載の食器セット。
【請求項４】
前記複数の食器は上部にフランジ部と下部に段付部を有し、多段に積み重ねた状態で下側に位置する食器のフランジ部と上側に位置する食器の段付部が嵌め合わされることによって保持されている請求項１から３のいずれか１項に記載の食器セット。
【請求項５】
前記複数の食器には最大サイズの食器の上部に嵌めあわされる蓋食器が含まれると共に、入れ子状に重ね合わせた状態において前記最大サイズの食器の中に前記蓋食器を除く他の食器が全て収納された上で、前記蓋食器と前記最大サイズの食器が嵌めあわされる請求項１から４のいずれか１項に記載の食器セット。
【発明の詳細な説明】
【０００１】
【発明の属する技術分野】
本発明は食器および食品保存容器に関するものである。
【０００２】
【従来の技術】
従来の食器セットとしては多段に積み重ねることで複数の独立した閉空間が得られるいわゆる重箱がある（例えば特許文献１参照）。
以下、従来の技術について図面を参照しながら説明する。
【０００３】
図９は従来の技術における食器セットの縦断面図である。
図９において、容器１を最下段として、その上に容器２、容器３、容器４および蓋５が順に積み重ねられている。また、容器１、容器２、容器３、容器４にはそれぞれ上部にフランジ部１ａ、フランジ部２ａ、フランジ部３ａ、フランジ部４ａを有し、下部には段付部１ｂ、段付部２ｂ、段付部３ｂ、段付部４ｂが設けられている。また、蓋５の下部にも段付部５ｂが設けられている。
【０００４】
また、容器１のフランジ部１ａと容器２の段付部２ｂが嵌め合わされることによって容器１は閉空間１１を形成する。同様に容器２のフランジ部２ａと容器３の段付部３ｂ、容器３のフランジ部３ａと容器４の段付部４ｂ、容器４のフランジ部４ａと蓋５の段付部５ｂがそれぞれ嵌め合わされることによって閉空間１２、閉空間１３、閉空間１４がそれぞれ形成される。
【０００５】
以上のように構成された多段の積み重ね容器の使用方法について簡単に以下に説明する。
この多段の積み重ね容器は、野外での会食に使用されることも多く、閉空間１２、閉空間１３、閉空間１４に様々な料理が詰め合わされ、また箸やフォークといった備品が収納されて携帯される。そして、食事の際には多段重ねられた容器１、容器２、容器３、容器４は１段づつに分けられて会食に供される。
そして、食事が終わると、料理の食べ残しがある状態でも再度積み重ねて多段の積み重ね容器とすることで、再び閉空間１２、閉空間１３、閉空間１４が形成される為、外部からの侵入物を防ぎ残りの料理はきれいな状態で保持される。
【０００６】
【特許文献１】
特開平１０−３２８００５
【０００７】
【発明が解決しようとする課題】
しかしながら上記従来の構成による食器セットでは、食器セットを家庭の食器棚等に収納する際でも、食器セットを使用する際と同じ大きさが必要である為に大変嵩張り、広い収納スペースが必要であるという欠点があった。
【０００８】
また、上記従来の構成では、容器の水平断面積がほぼ一定であり、サイズのバリエーションに乏しいため、食器セットを使用する際に近年の食生活の多様化に伴う様々な料理に対応できないという欠点があった。
【０００９】
そこで、本発明は食器セットを使用しないときはコンパクトに収納ができ、かつ食器セットを使用する際には食器の形状や大きさ等のサイズのバリエーションに富み様々な料理に対応できる食器セットを提供することを目的とする。
【００１０】
【課題を解決する為の手段】
請求項１に記載の食器セットはそれぞれ異なるサイズの複数の食器からなり、前記複数の食器は多段に積み重ねることで複数の独立した閉空間が得られると共に、入れ子状に重ね合わせることでコンパクトに収納できるものであり、食器のサイズが違うもの同士を組み合わせることで食器の形状や大きさ等のサイズのバリエーションを増やし、食器を使用しない際には入れ子状に重ね合わせることで容積を小さくし、またそれらの食器が多段に積み重ねられることで独立した閉空間を形成するという作用を有する。
【００１１】
請求項２に記載の食器セットは請求項１に記載の発明において、前記複数の食器は多段に積み重ねた状態で下部から上部に向かって断面積が増加する形状であるものであって、請求項１に記載の発明の作用に加え、食器のサイズが段階的に違うもの同士を組み合わせることで、食器の種類が多数に及んでも入れ子状に重ね合わせることができ、収納する際の容積が小さくなるという作用を有する。
【００１２】
請求項３に記載の食器セットは請求項２に記載の発明に加え、前記複数の食器は多段に積み重ねた状態で最上部の水平断面積に対して最下部の水平断面積が９％以上であるものであって、請求項２に記載の発明の作用に加え多段に積み重ねた状態において、食器セットが転倒することを防ぐという作用を有する。
【００１３】
請求項４に記載の食器セットは請求項１から３のいずれか１項に記載の発明に加え、前記複数の食器は上部にフランジ部と下部に段付部を有し、多段に積み重ねた状態で下側に位置する食器のフランジ部と上側に位置する食器の段付部が嵌め合わされることによって保持されているものであって、請求項１から３に記載の発明の作用に加え、多段に積み重ねる際には前記食器を適切な位置に積み重ね、多段に積み重ねた後には前記食器同士が位置ずれすることなく保持されているという作用を有する。
【００１４】
請求項５に記載の食器セットは請求項１から４のいずれか１項に記載の発明に加え、前記複数の食器には最大サイズの食器の上部に嵌めあわされる蓋食器が含まれると共に、入れ子状に重ね合わせた状態において前記最大サイズの食器の中に前記蓋食器を除く他の食器が全て収納された上で、前記蓋食器と前記最大サイズの食器が嵌めあわされるものであって、請求項１から４のいずれか１項に記載の発明の作用に加え、食器を収納する際によりコンパクトになり、蓋部によって略密閉されていることで、食器内に外部からの埃や虫等が侵入しないという作用を有する。
【００１５】
【発明の実施の形態】
（実施の形態１）
図１は本発明の実施の形態１による食器セットの多段に積み重ねた状態の縦断面図である。
【００１６】
図２は同実施の形態による食器セットの収納時の縦断面図である。
【００１７】
図１、図２において、食器セット１０１を多段に積み重ねる際には、容器１２３を最下段として、その上に容器１２２、容器１２１、蓋部１１０を順に積み重ねた３段重ねとなっている。これらは積み重ねた状態において、下部から上部に向かって水平断面積が増加する形状であり、最上部の水平断面は半径１００ｍｍの略円形であるので水平断面積が約３１４００ｍｍ２であり、最下部の水平断面は半径３５ｍｍの略円形であるので水平断面積が３８４７ｍｍ２であり、最上部の断面積に対して最下部の断面積は約１２．２％となっている。
【００１８】
また、蓋部１１０、容器１２１、容器１２２、容器１２３は耐熱性の磁器からなり、それぞれ上部にフランジ部１１０ａ、フランジ部１１０ａ、フランジ部１２１ａ、フランジ部１２２ａ、フランジ部１２３ａを有し、下部には段付部１１０ｂ、段付部１２１ｂ、段付部１２２ｂ、段付部１２３ｂを有している。
【００１９】
そして、容器１２３のフランジ部１２３ａと容器１２２の段付部１２２ｂとが嵌め合わされることによって、閉空間１３３を形成する。同様に、容器１２２のフランジ部１２２ａと容器１２１の段付部１２１ｂ、容器１２１のフランジ部１２１ａと蓋部１１０の段付部１１０ａとがそれぞれ嵌め合わせられることによって、閉空間１３２、閉空間１３１がそれぞれ形成される。
【００２０】
また、食器セット１０１を収納する際には容器１２１の内部に容器１２２が入り、容器１２２の内部に容器１２３が入ることで、容器１２１内に容器１２２と容器１２３とが入れ子状に収納され、この状態で容器１２１のフランジ部１２１ａと蓋部１１０の段付部１１０ａとがそれぞれ嵌め合わせられることによって、閉空間１４１が形成される。
【００２１】
以上のように構成された食器セット１０１の使用例を以下に示す。
例えば、食器セット１０１は、家庭内での幼児用の食事に利用される。蓋部１１０はスプーンやフォーク置きとして使用され、容器１２１にサンドイッチや卵焼きといった固形物から成る料理が盛られ、容器１２２にシチューやお味噌汁等の流動物からなる料理が盛られている。また、容器１２３には果物が盛られている。このように盛ることによって、固形物と流動物および果物といった多種類の料理の味が混じり合うことにより料理の味を損なうことを防ぐことができる。
【００２２】
また、これらの料理を配膳する際には容器１２３を最下段として、その上に容器１２２、容器１２１、蓋部１１０を順に積み重ねた３段重ねの状態で食卓まで運んだ上でそれぞれ１段づつに分けられて会食することが出来る為、配膳にあたって、大きなお盆等に多種類の皿を並べて運ぶといった一般的な方法が必要なくなり、配膳の手間を大きく省くことが可能である。
【００２３】
そして、食事を終えた後にそれぞれの料理に食べ残しがある場合でも、再び容器１２３を最下段として、その上に容器１２２、容器１２１、蓋部１１０を順に積み重ねた３段重ねにすることによって１度で食卓から下げることができ、また閉空間１３３、閉空間１３２、閉空間１３１が形成されることで外部から埃や虫等が侵入することなく衛生的に食品を保持できる保存容器として利用することができる。
【００２４】
その後、上記のように保存していた食品を再び食する際には、例えば果物が盛られている容器１２３を除いて、容器１２２と容器１２１と蓋部１１０とが２段重ねで積み重ねられたまま、電子レンジで温めてから食べる。このように電子レンジを使用する際に、本実施の形態の構成によると、食品はそれぞれ閉空間１３３、閉空間１３２で保持されている為、食品が乾燥することを防ぐことを目的ににラップ等で封をする必要がなく、また食器セット１０１は耐熱性の磁器からなる為、食品を耐熱性の別の容器に移し替えてから温めるといった必要もないために、使用者の手間を大きく省くことができる。
【００２５】
また、食器セット１０１の使用が終わり、収納する際には、容器１２１の内部に容器１２２および容器１２３が入った上で蓋部１１０にて封することができるので、収納スペースは容器１２１の容量に等しいもので足り、また閉空間１４１が形成されていることから、容器１２１の内部には外部からの埃等が侵入しない為に衛生的な状態を維持することができる。
【００２６】
よって、本実施の形態によると、複数の様々な料理を盛り合わせた上で、一度に配膳することができ、また食品の保存容器としても利用することができる為、食器および配膳盆および保存容器といった多様な役割を果たせる上に、さらに収納時にはコンパクトになる食器セットを提供することができる。
【００２７】
尚、本実施の形態において食器セット１０１は家庭内での食事に利用されるものとしたが、多段に積み重ねた状態で携帯し、野外での会食に利用しても良い。
尚、本実施の形態において食器セット１０１は耐熱性の磁器からなるものとしたが、耐熱性の合成樹脂であるポリプロピレンからなるものでも、より軽量で幼児が使用するには安全なものが提供できる上に、耐熱性磁器を使用する場合と同様の効果が得られる。
【００２８】
（実施の形態２）
図４は本発明の実施の形態２による食器セットの多段に積み重ねた状態の縦断面図である。
【００２９】
図５は同実施の形態による食器セットの収納時の縦断面図である。
【００３０】
図４から図５において、食器セット２０１を多段に積み重ねる際には、容器２３２を最下段として、その上に容器２２２、容器２４１、容器２３１、容器２２１、蓋部２１０、を順に積み重ねた多段重ねとなっている。
【００３１】
また、容器２２２内に納まる容器２５０を有する。
【００３２】
また、容器２５０、容器２３２、容器２２２、容器２４１、容器２３１、容器２２１、蓋部２１０は陶器からなり、それぞれ上部にフランジ部２５０ａ、フランジ部２３２ａ、フランジ部２２２ａ、フランジ部２４１ａ、フランジ部２３１ａ、フランジ部２２１ａ、フランジ部２１０ａを有し、下部には段付部２５０ｂ、段付部２３２ｂ、段付部２２２ｂ、段付部２４１ｂ、段付部２３１ｂ、段付部２２１ｂ、段付部２１０ｂを有している。
【００３３】
そして、容器２３２のフランジ部２３２ａと容器２２２の段付部２２２ｂとが嵌め合わされ、同様に、容器２２２のフランジ部２２２ａと容器２４１の段付部２４１ｂ、容器２４１のフランジ部２４１ａと容器２３１の段付部２３１ｂ、容器２３１のフランジ部２３１ａと容器２２１の段付部２２１ｂ、容器２２１のフランジ部２２１ａと蓋部２１０の段付部２１０ｂとがそれぞれ嵌め合わせられることによって多段に積み重ねられ、また閉空間２６１および閉空間２６２が形成されることで外部から埃や虫等が侵入することなく衛生的に食品を保持できる保存容器として利用することができる。
【００３４】
また、食器セット２０１を収納する際には容器２２１の内部に容器２３２、容器２２２、容器２５０が入った上で、容器２４１、容器２３１、容器２２１を重ね合わせ、容器２２１のフランジ部２２１ａと蓋部２１０の段付部２１０ｂとが嵌め合わせられることによって、閉空間２７０が形成される。
【００３５】
以上のように構成された食器セット２０１の使用例を以下に示す。
【００３６】
例えば、食器セット１０１は、家庭内での家族の食事に利用される。
【００３７】
容器２１０には主菜が盛り付けられ、容器２３１には副菜、容器２４１には香の物、容器２２２にはご飯といった具合に盛り付けられる。また別に容器２２１に丼物、容器２３２には副菜、容器２５０には汁物といった具合に盛りつけられる。
【００３８】
このように、１つの食器セット２０１で多種類に及ぶバラエティーに富んだ料理を盛り付けることができる。
【００３９】
そして、食事を終えた後には、食べ残しを容器２２１または容器２２２にまとめて入れ、容器２２１は蓋部２１０で封し、容器２２２は容器２４１で封することによって閉空間２６１、閉空間２６２が形成されることで外部から埃や虫等が侵入することなく衛生的に食品を保持できる保存容器として利用することができる。
【００４０】
また、本実施の形態の構成によると、食品はそれぞれ閉空間２６１、閉空間２６２で保持されている為、食品が乾燥することを防ぐことを目的ににラップ等で封をする必要がない為、使用者の手間を省くことができる。また食器セット２０１は陶器からなる為に、電子レンジでも使用可能である。
【００４１】
また、本実施の形態においては、容器２３１のフランジ部２３１ａと容器２２１の段付部２２１ｂとの嵌め合わせや容器２３２のフランジ部２３２ａと容器２２２の段付部２２２ｂの嵌め合わせのように嵌合部分において重なり合う部分を大きくとることによって容器同士が互いを保持する面積が広いことで、多段に積み重ねた状態における剛性を向上することができる。
【００４２】
よって、本実施の形態によると、複数の様々な料理を盛り合わせた上で、食品の保存容器としても利用することができる為、食器兼保存容器といった多様な役割を果たせる上に、さらに収納時にはコンパクトになる食器セットを提供することができる。
【００４３】
【発明の効果】
請求項１に記載の発明は、食器のサイズが違うもの同士を組み合わせることで食器の形状や大きさ等のサイズのバリエーションを増やし、多様な料理に応じた多種類の食器に料理を盛ることができると共に、器を使用しない際には入れ子状またはわせることで容積を小さくし、収納スペースを小さくすることができ、またそれらの食器が多段に積み重ねられることで独立した閉空間を形成する為、衛生的な保存容器として使用することができるという効果を有する。
【００４４】
請求項２に記載の食器セットは請求項１に記載の発明の効果に加え、さらに食器の種類が多数に及んでも、食器セットを使用しない際には収納スペースを小さくすることができるという効果を有する。
【００４５】
請求項３に記載の食器セットは請求項１または２に記載の発明の効果に加え、多段に積み重ねた状態において、転倒を防ぐ為、信頼性の高い食器セットが提供できるという効果を有する。
【００４６】
請求項４に記載の食器セットは請求項１から３のいずれか１項に記載の発明の効果に加え、多段に積み重ねる際には前記食器を適切な位置に積み重ねることができ、多段に積み重ねた後には前記食器同士が位置ずれすることなく保持されているため、信頼性の高い食器セットが提供できるという効果を有する。
【００４７】
請求項５に記載の食器セットは請求項１から４のいずれか１項に記載の発明効果に加え、食器を収納する際によりコンパクトに収納することで、収納スペースを小さくすることができ、蓋部によって略密閉されている為、食器内に外部からの埃や虫等が侵入せず、衛生的に収納できるという作用を有する。
【図面の簡単な説明】
【図１】本発明の実施の形態１による食器セットの多段に積み重ねた状態の縦断面図
【図２】同実施の形態による食器セットの収納時の縦断面図
【図３】同実施の形態による食器セットの使用時の盛り付け図
【図４】本発明の実施の形態２による食器セットの多段に積み重ねた状態の縦断面図
【図５】同実施の形態による食器セットの収納時の縦断面図
【図６】同実施の形態による食器セットの使用時の盛り付け図
【図７】本発明の実施の形態１による食器セットの多段に積み重ねた状態の斜視図
【図８】同実施の形態による食器セットの収納時の斜視図
【図９】図９は従来の技術における食器セットの縦断面図
【符号の説明】
１００  本発明の実施の形態１による食器セット
１１０  同実施形態による食器セットの蓋部
１２０  同実施形態による食器セットの容器
１３０  同実施形態による食器セットの食品保存の際の閉空間
１４０  同実施形態による食器セットの容器収納の際の閉空間
１００ａ  同実施形態による食器セットのフランジ部
１００ｂ  同実施形態による食器セットの段付部
２００  本発明の実施の形態２による食器セット
２１０  同実施形態による食器セットの蓋部
２２０  同実施形態による食器セットの容器
２３０  同実施形態による食器セットの容器
２４０  同実施形態による食器セットの容器
２５０  同実施形態による食器セットの容器
２６０  同実施形態による食器セットの食品保存の際の閉空間
２７０  同実施形態による食器セットの容器収納の際の閉空間
２００ａ  同実施形態による食器セットのフランジ部
２００ｂ  同実施形態による食器セットの段付部
１  従来の技術による食器セットの容器
１０  従来の技術による食器セットの閉空間
１ａ  従来の技術による食器セットのフランジ部
１ｂ  従来の技術による食器セットの段付部
【図１】
2004358159.tif 000003
【図２】
2004358159.tif 000004
【図３】
2004358159.tif 000005
【図４】
2004358159.tif 000006
【図５】
2004358159.tif 000007
【図６】
2004358159.tif 000008
【図７】
2004358159.tif 000009
【図８】
2004358159.tif 000010
【図９】
2004358159.tif 000011